(57)【要約】【課題】  受信を確実に受け付けることができるファクシミリ装置を提供する。【解決手段】  複数の通信ポートを有するファクシミリ装置において、特定のポートの送信禁止時間帯を設定する操作表示手段３と、特定のポートの送信禁止時間帯には送信を待機するよう制御する制御手段７とを備えた。【選択図】        図１
2006229708.tif 000002
【特許請求の範囲】
【請求項１】
複数の通信ポートを有するファクシミリ装置において、特定のポートの送信禁止時間帯を設定する操作表示手段と、前記特定のポートの送信禁止時間帯には送信を待機するよう制御する制御手段とを備えたことを特徴とするファクシミリ装置。
【請求項２】
複数の通信ポートを有するファクシミリ装置において、特定のポートの送信禁止状態を設定する操作表示手段と、前記特定のポートの送信禁止状態中には送信を待機するよう制御する制御手段とを備えたことを特徴とするファクシミリ装置。
【請求項３】
複数の通信ポートを有するファクシミリ装置において、各ポート毎の過去の受信履歴を保持し、特定のポートの受信が多い時間帯には送信を待機するよう制御する制御手段を備えたことを特徴とするファクシミリ装置。
【発明の詳細な説明】
【技術分野】
【０００１】
本発明は、複数の通信ポートを有するファクシミリ装置に関する。
【背景技術】
【０００２】
複数のポート（電話回線）を使って送受信を行っているようなファクシミリ装置では、その分送信や受信が頻繁に行われるため送信や受信の回数が多いのは避けられない。
従来技術として特許文献１には、送信を規制する機能を備えたファクシミリ装置において、送信規制時間帯を規制時間記憶部に登録する規制時間帯登録手段と、発信時にそのときの時刻を上記規制時間帯登録手段により登録されている送信規制時間帯と比較する時刻比較手段と、上記時刻比較手段により比較した結果、発信時の時刻が上記送信規制時間帯の時刻であれば、上記時間帯における発呼を行わず、上記時間帯の時刻でなければ発呼を規制しない発呼手段とを備え、発信時の時刻が送信規制時間帯の時刻であったことにより、発呼手段が発呼しなかった送信画情報を画像メモリに蓄積するファクシミリ装置について開示されている。
【特許文献１】特開平９−２０５５３６号公報
【発明の開示】
【発明が解決しようとする課題】
【０００３】
従って複数の通信ポートを有する従来のファクシミリ装置では、受信が来てもビジーで受信できない状態になり、ビジネスチャンスを逃す頻度が高いという問題があった。
また特許文献１に開示されている従来技術は、発呼手段が発呼しなかった送信画情報を画像メモリに蓄積するようにして送信画情報を保護するものであり、対象の送信画情報が多くなると画像メモリの容量が増加するといった問題がある。
本発明は、受信を確実に受け付けることができるファクシミリ装置を提供することを目的とする。
【課題を解決するための手段】
【０００４】
上記目的を達成するために、請求項１記載の発明は、複数の通信ポートを有するファクシミリ装置において、特定のポートの送信禁止時間帯を設定する操作表示手段と、特定のポートの送信禁止時間帯には送信を待機するよう制御する制御手段とを備えたファクシミリ装置を最も主要な特徴とする。
請求項２記載の発明は、複数の通信ポートを有するファクシミリ装置において、特定のポートの送信禁止状態を設定する操作表示手段と、特定のポートの送信禁止状態中には送信を待機するよう制御する制御手段とを備えたファクシミリ装置を最も主要な特徴とする。
請求項３記載の発明は、複数の通信ポートを有するファクシミリ装置において、各ポート毎の過去の受信履歴を保持し、特定のポートの受信が多い時間帯には送信を待機するよう制御する制御手段を備えたファクシミリ装置を最も主要な特徴とする。
【発明の効果】
【０００５】
本発明によれば、複数の通信ポートを有するファクシミリ装置において、特定のポートの送信禁止時間帯を設定する操作表示手段と、特定のポートの送信禁止時間帯には送信を待機するよう制御する制御手段とを備えたことで、また、特定のポートの送信禁止状態を設定する操作表示手段と、特定のポートの送信禁止状態中には送信を待機するよう制御する制御手段とを備えたことで、さらには、各ポート毎の過去の受信履歴を保持し、特定のポートの受信が多い時間帯には送信を待機するよう制御する制御手段を備えたことで、受信を確実に受け付けることができる効果を奏する。
【発明を実施するための最良の形態】
【０００６】
以下、本発明の実施の形態を図面に従って説明する。
図１は本発明の実施の形態に係るファクシミリ装置の機能ブロック図である。
スキャナー部１は、ＦＡＸの送信原稿を読み取り２値化データに変換するユニットである。プロッター部２は、受信した原稿や各種レポート類を印刷するユニットである。操作表示部（操作表示手段）３は、ユーザー操作や各種ＬＥＤ点灯、メッセージ表示を行うユニットである。
画像圧縮／伸張部４は、画像をＩＴＵ−Ｔ  Ｔ．４規格に準じて圧縮／伸張するユニットである。画像データ蓄積部５は、送信時に一時的に圧縮データを蓄積したり受信時に受信した圧縮データを蓄積しておくユニットである。モデム６は、公衆回線でＦＡＸのアナログ信号をやり取りするためにデータの変調／復調を行うユニットである。
ＣＰＵ（ＲＯＭ／ＲＡＭ内蔵）（制御手段）７は、ソフト全体を制御するユニットである。ＮＣＵ（１）８、ＮＣＵ（２）９は、アナログ一般公衆網とのインターフェースである。この例では２回線を有している。送信可能状態管理部１０は、機器から送信できる状態かどうかを判断するユニットである。受信履歴管理部１１は、過去の受信履歴を保持し管理するユニットである。
【実施例１】
【０００７】
２本の回線をもつファクシミリ装置の場合、１つの回線（ＮＣＵ８）が使用中でも、もう１つの回線（ＮＣＵ９）で通信を行うことが可能である。通常は２つの回線を送信／受信の両方に使っている場合でも、ある特定の時間帯だけ重要なＦＡＸの受信があるのでＦＡＸの受信を優先したい場合がある。
そのような場合でもＦＡＸの送信も完全には中断せず、受信を優先しながら送信を行いたい場合がある。ＦＡＸの受信を優先させながら、ＦＡＸの送信も行いたい場合、回線毎に図２に示すように、各週の時間帯毎に送信許可か禁止の設定を行っておく。
図３は実施例１の送信制御フロー図である。送信するファイルがあると（Ｓ１でＹ）、現在の時刻で送信が許可になっている回線があるかを検索する（Ｓ２）。送信許可の回線があればその回線を使用して送信を実行する（Ｓ３）。すべての回線が送信禁止ならば送信を行わないで待機状態のままでいる。
【実施例２】
【０００８】
操作表示部３に回線毎の送信禁止ボタンを設ける。禁止ボタンがＯＮの状態の時は送信禁止状態で、送信禁止ボタンがＯＦＦのときは送信許可状態とする。あとの動作は実施例１と同じである。
【実施例３】
【０００９】
回線毎に、かつ各週の時間帯別に、図４に示すような受信履歴のカウンタのテーブルを持つ。
図５は実施例３の受信履歴カウントアップフロー図である。受信があるたびに（Ｓ１でＹ）受信した時刻と曜日のテーブルをカウントアップしていく（Ｓ２）。
図６は実施例３の送信制御フロー図である。送信するファイルがあると（Ｓ１でＹ）、現在の時刻からその時間帯の受信回数を見てある規定値以上なら（Ｓ２でＮ）その回線からは送信を行わない。規定回数に達していいない回線から送信を行う（Ｓ３）。
【図面の簡単な説明】
【００１０】
【図１】本発明の実施の形態に係るファクシミリ装置の機能ブロック図。
【図２】送信許可、禁止の設定内容を表で示した図。
【図３】実施例１の送信制御フロー図。
【図４】受信履歴管理内容を表で示した図。
【図５】実施例３の受信履歴カウントアップフロー図。
【図６】実施例３の送信制御フロー図。
【符号の説明】
【００１１】
３  操作表示部（操作表示手段）
７  ＣＰＵ（制御手段）
【図１】
2006229708.tif 000003
【図２】
2006229708.tif 000004
【図３】
2006229708.tif 000005
【図４】
2006229708.tif 000006
【図５】
2006229708.tif 000007
【図６】
2006229708.tif 000008